(57)【特許請求の範囲】
【請求項１】
ユーザ端末と無線通信接続によりリンク接続される通信装置であって、
前記ユーザ端末と近距離波を送受信する近距離波送受信部を有し、
前記通信装置と異なる他の通信装置と長距離波を送受信する長距離波送受信部を有し、
検知データを取得するセンサ部を有し、
位置データを取得するＧＰＳを有し、
前記ユーザ端末とリンク接続されている前記通信装置（Ｕ０）は、前記通信装置（Ｕ０）と異なり前記通信装置（Ｕ０）から所定半径内に位置する第一の通信装置（Ａｎ）が、前記通信装置（Ｕ０）から一斉送信された第一の長距離波（ＳＵ０）を受信した後に一斉送信する第二の長距離波（ＳＡｎ）を受信し、受信した第二の長距離波（ＳＡｎ）の識別信号に基づいて第一の通信装置（Ａｎ）を特定し、特定した第一の通信装置（Ａｎ）を第１グループとして記憶し、
第一の通信装置（Ａｎ）は、前記通信装置（Ｕ０）および第一の通信装置（Ａｎ）と異なり前記通信装置（Ｕ０）から所定半径外でかつ第一の通信装置（Ａｎ）から所定半径内に位置する第二の通信装置（Ｂｎ）が、第一の通信装置（Ａｎ）から一斉送信された第二の長距離波（ＳＡ０）を受信した後に一斉送信する第三の長距離波（ＳＢｎ）を受信し、第二の長距離波（ＳＡ０）の一斉送信から第三の長距離波（ＳＢｎ）の受信までが数秒以内の場合に第一の反射波（ＲＢｎ）を一斉送信し、
前記ユーザ端末とリンク接続されている前記通信装置（Ｕ０）は、第一の反射波（ＲＢｎ）を受信し、受信した第一の反射波（ＲＢｎ）の識別信号に基づいて第二の通信装置（Ｂｎ）を特定し、特定した第二の通信装置（Ｂｎ）を第２グループとして記憶し、
前記ユーザ端末とリンク接続されている前記通信装置（Ｕ０）は、同様の手段を繰り返すことによって特定した第Ｎの通信装置（Ｎｎ）を第Ｎグループとして記憶し、記憶した前記第１グループから前記第Ｎグループまでの通信装置の情報を前記特定装置情報として前記ユーザ端末に送信する、
通信装置。
【請求項２】
ユーザ端末と、請求項１に記載の通信装置と、前記ユーザ端末とネットワークを介して無線通信接続される管理サーバであって、
ユーザ情報記憶部に記憶されているユーザ情報と、通信装置情報記憶部に記憶されている通信装置情報と、特定装置情報記憶部に記憶されている特定装置情報とに基づいて、リンク状態結果を生成するリンク状態解析部を有し、
前記ユーザ情報と、前記通信装置情報と、リンク状態結果記憶部から抽出したリンク状態結果とに基づいてマッチング画面を生成するマッチング画面生成部と、
前記ユーザ端末に、生成した前記マッチング画面を提供するマッチング画面提供部とを有する、
管理サーバ。
【請求項３】
請求項２に記載の管理サーバにおいて、
ユーザがメッセージ送信先として選択した相手に該当するユーザ情報と通信装置情報と特定装置情報とを構成するマッチング結果をマッチング結果記憶部から抽出し、抽出した前記マッチング結果に基づいてメッセージ画面を生成するメッセージ画面生成部と、
抽出した前記マッチング結果に紐づく通信装置情報と特定装置情報とに基づいてメッセージ画面提供経路をユーザ端末に送信するメッセージ画面提供部とを有する、
管理サーバ。
【請求項４】
ユーザ端末と無線通信接続によりリンク接続される通信装置を有する通信方法であって、
前記ユーザ端末とリンク接続されている前記通信装置（Ｕ０）は、前記通信装置（Ｕ０）と異なり前記通信装置（Ｕ０）から所定半径内に位置する第一の通信装置（Ａｎ）が、前記通信装置（Ｕ０）から一斉送信された第一の長距離波（ＳＵ０）を受信した後に一斉送信する第二の長距離波（ＳＡｎ）を受信し、受信した第二の長距離波（ＳＡｎ）の識別信号に基づいて第一の通信装置（Ａｎ）を特定し、特定した第一の通信装置（Ａｎ）を第１グループとして記憶する工程と、
第一の通信装置（Ａｎ）は、前記通信装置（Ｕ０）および第一の通信装置（Ａｎ）と異なり前記通信装置（Ｕ０）から所定半径外でかつ第一の通信装置（Ａｎ）から所定半径内に位置する第二の通信装置（Ｂｎ）が、第一の通信装置（Ａｎ）から一斉送信された第二の長距離波（ＳＡ０）を受信した後に一斉送信する第三の長距離波（ＳＢｎ）を受信し、第二の長距離波（ＳＡ０）の一斉送信から第三の長距離波（ＳＢｎ）の受信までが数秒以内の場合に第一の反射波（ＲＢｎ）を一斉送信する工程と、
前記ユーザ端末とリンク接続されている前記通信装置（Ｕ０）は、第一の反射波（ＲＢｎ）を受信し、受信した第一の反射波（ＲＢｎ）の識別信号に基づいて第二の通信装置（Ｂｎ）を特定し、特定した第二の通信装置（Ｂｎ）を第２グループとして記憶する工程と、
前記ユーザ端末とリンク接続されている前記通信装置（Ｕ０）は、同様の手段を繰り返すことによって特定した第Ｎの通信装置（Ｎｎ）を第Ｎグループとして記憶し、記憶した前記第１グループから前記第Ｎグループまでの通信装置の情報を前記特定装置情報として前記ユーザ端末に送信する工程とを有する、
通信方法。
【請求項５】
請求項４に記載の通信方法において、
前記管理サーバが、前記ユーザ端末からユーザ情報を取得および記憶する工程と、
前記管理サーバが、前記ユーザ端末から通信装置情報を取得および記憶する工程と、
前記管理サーバが、ユーザ情報記憶部に記憶されているユーザ情報と、通信装置情報記憶部に記憶されている通信装置情報と、特定装置情報記憶部に記憶されている特定装置情報とに基づいて、リンク状態結果を生成する工程と、
前記管理サーバが、前記ユーザ情報と、前記通信装置情報と、リンク状態結果記憶部から抽出したリンク状態結果とに基づいてマッチング画面を生成する工程と、
前記管理サーバが、前記ユーザ端末に、生成した前記マッチング画面を提供する工程とを有する、
通信方法。
【請求項６】
請求項４または請求項５に記載の通信方法において、
前記管理サーバが、ユーザがメッセージ送信先として選択した相手に該当するユーザ情報と通信装置情報と特定装置情報とを構成するマッチング結果をマッチング結果記憶部から抽出し、抽出した前記マッチング結果に基づいてメッセージ画面を生成する工程と、
抽出した前記マッチング結果に紐づく通信装置情報と特定装置情報とに基づいてメッセージ画面提供経路をユーザ端末に送信する工程とを有する、
通信方法。
【発明の詳細な説明】
【技術分野】
【０００１】
本発明は、通信装置および管理サーバおよび通信方法に関する。
【背景技術】
【０００２】
例えば、自然災害が発生した時の通信手段として携帯電話等の端末の使用が考えられるが、当該端末の電力を消費して充電ができない場合や、電話会社が管理する電波を利用できない場合は、当該端末による通信は制限されるおそれがあった。
【先行技術文献】
【特許文献】
【０００３】
【特許文献１】特開２００２−２３６９８８号公報
【発明の概要】
【発明が解決しようとする課題】
【０００４】
例えば、特許文献１には、自然災害発生の危険の有無を判断し、通報対象領域において自然災害発生の危険があると判断した場合通報データを発信する観測装置と、観測装置からの通報データを受け取り、通報データに基づいて通報メッセージを生成する管理装置と、管理装置と通信網を介して接続された移動通信端末を具備し、管理装置は、通報データを発した観測装置の通報対象領域内に位置し、かつ通報対象リストに含まれる移動通信端末に対して通報メッセージを送信する危険通報システムが開示されている。
【０００５】
しかし、特許文献１は、通信装置が独自に発生した長距離波の送受信を繰り返すことで、所定の範囲内にいる遠隔地の相手の状態を確認し、メッセージの送受信を行う通信方法について、意図しているものではない。
【０００６】
本発明の目的は、通信装置が独自に発生した長距離波の送受信を繰り返すことで、所定の範囲内にいる遠隔地の相手の状態を確認し、メッセージの送受信を行うことが可能な技術を提供することである。
【課題を解決するための手段】
【０００７】
本願において開示される発明のうち、代表的なものの概要を簡単に説明すれば、次の通りである。
【０００８】
本発明の一実施の形態は、ユーザ端末と無線通信接続によりリンク接続される通信装置であって、ユーザ端末と近距離波を送受信する近距離波送受信部を有する。また、通信装置と異なる他の通信装置と長距離波を送受信する長距離波送受信部を有する。また、検知データを取得するセンサ部を有する。また、位置データを取得するＧＰＳを有する。
また、ユーザ端末とリンク接続されている通信装置（Ｕ０）は、通信装置（Ｕ０）と異なり通信装置（Ｕ０）から所定半径内に位置する第一の通信装置（Ａｎ）が、通信装置（Ｕ０）から一斉送信された第一の長距離波（ＳＵ０）を受信した後に一斉送信する第二の長距離波（ＳＡｎ）を受信し、受信した第二の長距離波（ＳＡｎ）の識別信号に基づいて第一の通信装置（Ａｎ）を特定し、特定した第一の通信装置（Ａｎ）を第１グループとして記憶する。
また、第一の通信装置（Ａｎ）は、通信装置（Ｕ０）および第一の通信装置（Ａｎ）と異なり通信装置（Ｕ０）から所定半径外でかつ第一の通信装置（Ａｎ）から所定半径内に位置する第二の通信装置（Ｂｎ）が、第一の通信装置（Ａｎ）から一斉送信された第二の長距離波（ＳＡ０）を受信した後に一斉送信する第三の長距離波（ＳＢｎ）を受信し、第二の長距離波（ＳＡ０）の一斉送信から第三の長距離波（ＳＢｎ）の受信までが数秒以内の場合に第一の反射波（ＲＢｎ）を一斉送信し、ユーザ端末とリンク接続されている通信装置（Ｕ０）は、第一の反射波（ＲＢｎ）を受信し、受信した第一の反射波（ＲＢｎ）の識別信号に基づいて第二の通信装置（Ｂｎ）を特定し、特定した第二の通信装置（Ｂｎ）を第２グループとして記憶する。
また、ユーザ端末とリンク接続されている通信装置（Ｕ０）は、同様の手段を繰り返すことによって特定した第Ｎの通信装置（Ｎｎ）を第Ｎグループとして記憶し、記憶した第１グループから第Ｎグループまでの通信装置の情報を特定装置情報としてユーザ端末に送信する。
【発明の効果】
【０００９】
本発明によれば、通信装置が独自に発生した長距離波の送受信を繰り返すことで、所定の範囲内にいる遠隔地の相手の状態を確認し、メッセージの送受信を行うことが可能な技術を提供できる。
【図面の簡単な説明】
【００１０】
【図１】本発明の一実施の形態である通信システムにおける管理サーバの構成例の概要を示す図である。
【図２】本発明の一実施の形態における管理サーバのユーザ情報記憶部に記憶されているユーザ情報と、通信装置情報記憶部に記憶されている通信装置情報との概要を示す図である。
【図３】本発明の一実施の形態におけるユーザ端末と通信装置と管理サーバとの関係、また通信装置についての概要を示す図である。
【図４】本発明の一実施の形態における全体処理の概要を示す図である。
【図５】本発明の一実施の形態におけるユーザ情報記憶処理およびユーザ情報取得処理の概要を示す図である。
【図６】本発明の一実施の形態における通信装置情報記憶処理および通信装置情報取得処理の概要を示す図である。
【図７】本発明の一実施の形態における通信装置および長距離波の概要を示す図である。
【図８】本発明の一実施の形態における特定装置情報およびリンク状態結果の概要を示す図である。
【図９】本発明の一実施の形態におけるリンク状態解析処理の概要を示す図である。
【図１０】本発明の一実施の形態におけるリンク状態解析処理の概要を示す図である。
【図１１】本発明の一実施の形態におけるマッチング画面αの概要を示す図である。
【図１２】本発明の一実施の形態におけるマッチング画面βの概要を示す図である。
【図１３】本発明の一実施の形態におけるマッチング画面生成処理およびマッチング画面提供処理の概要を示す図である。
【図１４】本発明の一実施の形態におけるマッチング結果記憶処理の概要を示す図である。
【図１５】本発明の一実施の形態におけるメッセージ画面の概要を示す図である。
【図１６】本発明の一実施の形態におけるメッセージ画面提供経路の概要を示す図である。
【図１７】本発明の一実施の形態におけるメッセージ画面生成処理およびメッセージ画面提供処理の概要を示す図である。
【図１８】本発明の一実施の形態におけるメッセージ画面更新処理およびメッセージ画面提供処理の概要を示す図である。
【発明を実施するための形態】
【００１１】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
＜システム構成＞
図１は、本発明の一実施の形態である通信システムにおける管理サーバ１２０の構成例の概要を示す図である。
【００１２】
図１に示されるように、本発明に係る通信システムは、ユーザ端末１００と、通信装置３００と、ユーザ端末１００とネットワークを介して接続される管理サーバ１２０とを有する。すなわち、管理サーバ１２０は、ユーザ端末１００とネットワークを介して接続される。
【００１３】
また、管理サーバ１２０は、ユーザ端末１００とネットワークを介して接続される代わりに、ユーザ端末１００の内部にインストールされるものを含む。すなわち、ユーザ端末１００の端末内部に管理サーバ１２０を有する構成としても良い。
【００１４】
このようにして、例えば、自然災害時に管理サーバ１２０とユーザ端末１００とがネットワークを介して接続できない場合でも、管理サーバ１２０は、本発明による目的・効果と同一の目的・効果を実現できる。
【００１５】
管理サーバ１２０は、ユーザ情報記憶部１３０と、通信装置情報記憶部１３１と、特定装置情報記憶部１３２と、リンク状態結果記憶部１３３と、マッチング結果記憶部１３４と、リンク状態解析部１４０と、マッチング画面生成部１５０と、マッチング画面提供部１６０と、メッセージ画面生成部１７０と、メッセージ画面提供部１８０とを有する。
【００１６】
ユーザ情報記憶部１３０には、ユーザ情報２００（後述、図２（ａ））が記憶されている。通信装置情報記憶部１３１には、通信装置情報２１０（後述、図２（ｂ））が記憶されている。
【００１７】
特定装置情報記憶部１３２には、特定装置情報８００（後述、図８）が記憶されている。また、リンク状態結果記憶部１３３には、リンク状態結果８１０（後述、図８）が記憶されている。
【００１８】
リンク状態解析部１４０は、ユーザ情報記憶部１３０に記憶されているユーザ情報２００と、通信装置情報記憶部１３１に記憶されている通信装置情報２１０と、特定装置情報記憶部１３２に記憶されている特定装置情報８００とに基づいて、リンク状態結果８１０を生成する。リンク状態解析処理については図７〜１０にて後述する。
【００１９】
マッチング画面生成部１５０は、ユーザ情報２００と、通信装置情報２１０と、リンク状態結果記憶部１３３から抽出したリンク状態結果８１０とに基づいてマッチング画面１１００（および１２００）を生成する。マッチング画面１１００（および１２００）、マッチング画面生成処理については図１３、１４にて後述する。
【００２０】
マッチング画面提供部１６０は、ユーザ端末１００に、生成したマッチング画面１１００（および１２００）を提供する。マッチング画面提供処理については図１３、１４にて後述する。
【００２１】
メッセージ画面生成部１７０は、ユーザがメッセージ送信相手として選択したユーザに対応するユーザ情報２００と通信装置情報２１０と特定装置情報８００とを構成するマッチング結果をマッチング結果記憶部１３４から抽出し、抽出したマッチング結果に基づいてメッセージ画面１５００を生成する。メッセージ画面１５００の詳細、メッセージ画面生成処理の詳細については図１６、１７にて後述する。
【００２２】
メッセージ画面提供部１８０は、抽出したマッチング結果に紐づく通信装置情報２１０と特定装置情報８００とに基づいてメッセージ画面提供経路１６００をユーザ端末１００に送信する。メッセージ画面提供経路１６００の詳細、メッセージ画面提供処理の詳細については図１６、１７にて後述する。
＜ユーザ情報記憶部＞
図２（ａ）は、本発明の一実施の形態における管理サーバ１２０のユーザ情報記憶部１３０に記憶されているユーザ情報２００の構成例の概要を示す図である。
【００２３】
図２（ａ）に示されるように、ユーザ情報２００は、ユーザＩＤと、氏名と、メールアドレスと、通信装置ＩＤと、通信装置情報２１０などのデータ項目により構成される。
【００２４】
ユーザＩＤは、管理サーバ１２０が、ユーザを識別するための符号を示す。氏名は、ユーザの名称を示す。通信装置ＩＤは、管理サーバ１２０が、通信装置３００を識別するための符号を示す。
【００２５】
図２（ｂ）は、本発明の一実施の形態における管理サーバ１２０のユーザ情報記憶部１３０に記憶されているユーザ情報２００に含まれる通信装置情報２１０の構成例の概要を示す図である。
【００２６】
通信装置情報２１０は、通信装置ＩＤ、ユーザＩＤ、リンク状態、検知データ、位置データ等の情報を示す。
【００２７】
リンク状態は、ユーザ端末１００と通信装置３００が無線通信接続によりリンク接続されているか否かについての状態を示す。この際の無線通信接続は、例えばＢｌｕｅｔｏｏｔｈ（登録商標）等の近距離波による接続である。
【００２８】
検知データは、通信装置３００が有するセンサ部３３０が検知する、通信装置３００の付近の温度、湿度、加速度、風向、音、磁気、気圧などの情報を示す。
【００２９】
位置データは、通信装置３００が有するＧＰＳ３４０が取得する、通信装置３００の場所を表す緯度、経度の情報を示す。
＜通信装置＞
図３は、本発明の一実施の形態におけるユーザ端末１００と通信装置３００と管理サーバ１２０との関係、また通信装置３００についての概要を示す図である。
【００３０】
図３（ａ）で示されるように、ユーザ１１０が有するユーザ端末１００は、通信装置３００が有する近距離波送受信部３１０によって送信される近距離波４１０を受信し、また、ユーザ端末１００から送信された近距離波４１０を近距離波送受信部３１０が受信することによって、通信装置３００と無線接続によるリンク接続（以降、リンク接続と略記する）を行う。なお、近距離波４１０の接続可能範囲は、例えば通信装置３００から半径５〜１５ｍ以内とする。
【００３１】
また、通信装置３００は、通信装置３００が有する長距離波送受信部３２０によって送受信される長距離波４２０を介して、他の通信装置３００と無線接続される。なお、長距離波４２０の接続可能範囲は、例えば通信装置３００から半径８ｋｍ以内とする。
【００３２】
また、ユーザ端末１００は、管理サーバ１２０とネットワークを介して無線接続される。このようにして、ユーザ端末１００は、ユーザ情報２００、通信装置情報２１０を管理サーバ１２０に送信する。
【００３３】
図３（ｂ）で示されるように、通信装置３００は、近距離波送受信部３１０と、長距離波送受信部３２０と、センサ部３２０と、ＧＰＳ３４０とを含む。近距離波送受信部３１０は、近距離波４１０を送受信する。長距離波送受信部３２０は、長距離波４２０を送受信する。センサ部３３０は、通信装置３００の付近の温度、湿度、加速度、風向、音、磁気、気圧などの情報を検知データとして取得する。ＧＰＳ３４０は、通信装置３００の場所を表す緯度、経度の情報を位置データとして取得する。
【００３４】
なお、通信装置３００の消費電力は、一般のスマートフォン端末等に比べて著しく少ない。通信装置３００は専用のバッテリーまたは電池により駆動し、バッテリーの充電および電池交換を約５年間行わなくてもよい。また通信装置３００は、寿命を延ばすための電池駆動に加えて、ソーラーパネル部を有するようにしても良い。
【００３５】
また、通信装置３００は、リンク部を２系統有する構成とできる。すなわち、通信装置３００は、管理サーバ１２０とネットワークを介して無線接続されることもできる。これにより、ユーザは、ユーザ端末１００が破壊した時でも、通信装置３００を利用して本発明に係る効果を得ることができる。なお、このリンク部は、その他、外部のユーザーインターフェイスにも接続でき各種センサ等の拡張が可能である。
【００３６】
上記特性により、ユーザは、自然災害時に充電ができない場合や、電話会社が管理する電波を利用できない場合でも、消費電力の少ない通信装置３００によって、電話会社が有する電波を利用せずに長距離通信を行える。
＜全体処理＞
図４は、本発明の一実施の形態における全体処理の概要を示す図である。
【００３７】
まず、Ｓ４０１にて、管理サーバ１２０はユーザ情報記憶処理およびユーザ情報取得処理（図５で後述する）を行う。
【００３８】
次に、Ｓ４０２にて、管理サーバ１２０は通信装置情報記憶処理および通信装置情報取得処理（図６で後述する）を行う。
【００３９】
次に、Ｓ４０３にて、管理サーバ１２０はリンク状態解析処理（図７〜１０で後述する）を行う。
【００４０】
次に、Ｓ４０４にて、管理サーバ１２０はマッチング画面生成処理およびマッチング画面提供処理（図１１〜１４で後述する）を行う。
【００４１】
次に、Ｓ４０５にて、管理サーバ１２０はマッチング結果記憶処理を行う。
【００４２】
次に、Ｓ４０６にて、管理サーバ１２０はメッセージ画面生成処理およびメッセージ画面提供処理（図１５〜１７で後述する）を行う。
【００４３】
次に、Ｓ４０７にて、管理サーバ１２０はメッセージ画面更新処理およびメッセージ画面提供処理（図１８で後述する）を行う。
＜ユーザ情報記憶処理＞
図５（ａ）は、本発明の一実施の形態におけるユーザ情報記憶処理の概要を示す図である。以下、管理サーバ１２０が、ユーザ情報２００を記憶する方法について説明する。
【００４４】
まず、Ｓ５０１にて、管理サーバ１２０は、ユーザ情報入力画面をユーザ端末１００に提供する。次に、Ｓ５０２にて、ユーザ端末１００は、ユーザ情報入力画面をディスプレイに表示させる。
【００４５】
その後、ユーザが本発明に係るシステムを初めて利用する場合、Ｓ５０３にて、ユーザ端末１００はユーザ情報２００の入力をユーザから受け付ける。なお、ユーザ情報２００は、ユーザＩＤと、氏名等のデータ項目により構成される。
次に、Ｓ５０４にて、ユーザ端末１００は、Ｓ５０３で入力を受け付けたユーザ情報２００を管理サーバ１２０に送信する。
【００４６】
次に、Ｓ５０５にて、管理サーバ１２０は、Ｓ５０４で送信されたユーザ情報２００を受信することにより、ユーザ情報２００を取得する。
次に、Ｓ５０６にて、管理サーバ１２０は、受信したユーザ情報２００にユーザＩＤを付して、Ｓ５０３にて入力を受け付けたユーザ情報２００をユーザ情報記憶部１３０に記憶する。
＜ユーザ情報取得処理＞
図５（ｂ）は、本発明の一実施の形態におけるユーザ情報取得処理の概要を示す図である。以下、管理サーバ１２０が、ユーザ情報２００を取得する方法について説明する。
【００４７】
ユーザが本発明に係るシステムを２回目以降利用する場合、Ｓ５０７にて、ユーザ端末１００はユーザＩＤの入力をユーザから受け付ける。なお、ユーザＩＤは、ユーザ情報２００に含まれる。
次に、Ｓ５０８にて、ユーザ端末１００は、Ｓ５０７で入力を受け付けたユーザＩＤを管理サーバ１２０に送信する。
【００４８】
その後、Ｓ５０９にて、管理サーバ１２０は、Ｓ５０８で送信されたユーザＩＤのキーに対応するユーザ情報２００をユーザ情報記憶部１３０から取得する。
【００４９】
また、管理サーバ１２０は、ユーザＩＤのキーにＰＩＮコードを付随し、ユーザ情報記憶部１３０に、ホワイトリストやブラックリストを生成させるようにしてもよい。これによりクローン端末等により接続された場合のログインを防ぐことができ、管理サーバ１２０は、ユーザ端末１００の「なりすまし」による被害を防止できる。
＜通信装置情報取得処理＞
図６は、本発明の一実施の形態における通信装置情報取得処理の概要を示す図である。
【００５０】
まず、Ｓ６０１にて、通信装置３００は、リンク状態がＯｎであるか否かを判定する。リンク状態がＯｎである場合は、通信装置３００は工程Ｓ６０６へ進行し、リンク状態がＯｆｆである場合は、通信装置３００は工程Ｓ６０２へ進行する。
【００５１】
Ｓ６０２にて、通信装置３００は、ユーザ端末１００とリンク接続する。具体的には、通信装置３００が有する近距離波送受信部３１０から送信される近距離波４１０を介して、通信装置３００は、ユーザ端末１００とリンク接続を行う。
【００５２】
次に、Ｓ６０３にて、通信装置３００は、通信装置ＩＤをユーザ端末１００に送信する。次に、Ｓ６０４にて、通信装置３００は、リンク状態を「Ｏｎ」に更新する。その後、Ｓ６０５にて、通信装置３００は、Ｓ６０５で更新したリンク状態をユーザ端末１００に送信する。
【００５３】
なお、本実施例の全行程のうち任意の過程において、ユーザがユーザ端末１００と通信装置３００とのリンク接続を切る場合、通信装置３００は、リンク状態を「Ｏｆｆ」に更新し、更新したリンク状態をユーザ端末１００に送信する。
【００５４】
Ｓ６０６にて、通信装置３００は、通信装置３００が有するセンサ部３３０によって検知データを取得する。次に、Ｓ６０７にて、通信装置３００は、Ｓ６０６で取得された検知データをユーザ端末１００に送信する。
【００５５】
Ｓ６０８にて、通信装置３００は、通信装置３００が有するＧＰＳ３４０によって位置データを取得する。次に、Ｓ６０９にて、通信装置３００は、Ｓ６０８で取得された位置データをユーザ端末１００に送信する。
【００５６】
次に、Ｓ６１０にて、ユーザ端末１００は、Ｓ６０３で送信された通信装置ＩＤと、Ｓ６０５で送信されたリンク状態と、Ｓ６０７で送信された検知データと、Ｓ６０９で送信された位置データとを通信装置情報２１０として取得する。
＜通信装置情報記憶処理＞
図６は、本発明の一実施の形態における通信装置情報記憶処理の概要を示す図である。
【００５７】
まず、Ｓ６１１にて、ユーザ端末１００は、Ｓ６０９で取得した通信装置情報２１０を管理サーバ１２０に送信する。
【００５８】
次に、Ｓ６１２にて、管理サーバ１２０は、Ｓ６１１で送信された通信装置情報２１０を取得する。その後、Ｓ６１３にて、管理サーバ１２０は、Ｓ６１２で取得した通信装置情報２１０を、通信装置情報記憶部１３１に記憶されている通信装置情報２１０に更新して記憶する。
＜長距離波＞
図７は、本発明の一実施の形態における通信装置３００および長距離波４２０の概要を示す図である。
【００５９】
図７に示されるように、通信装置３００は通信装置３００を中心とする所定半径、例えば８ｋｍの領域に対して長距離波４２０を一斉送信する。この際、ユーザ端末１００とリンク接続されている通信装置３００をＵ０と設定し、通信装置Ｕ０から一斉送信される長距離波４２０を第一の長距離波７００とする。
【００６０】
また、図７で示されるように、第一の長距離波７００は、その領域内に通信装置Ｕ０と異なる通信装置３００をｎ個（ｎを任意の自然数とする）包含する。それらを順に、第一の通信装置Ａｎとする。すなわち、通信装置Ｕ０から一斉送信された第一の長距離波７００は、例えば、その領域内に通信装置Ｕ０を除いて第一の通信装置Ａ１、第一の通信装置Ａ２、第一の通信装置Ａ３、第一の通信装置Ａ４の４個の通信装置３００を包含する。
【００６１】
同様にして、図７に示されるように、第一の通信装置Ａｎは第一の通信装置Ａｎを中心とする所定半径の領域に対して長距離波４２０を一斉送信する。この際、第一の通信装置Ａｎから一斉送信される長距離波４２０を第二の長距離波とする。例えば、第一の通信装置Ａ１から一斉送信される長距離波４２０を第二の長距離波７１０とする。第一の通信装置Ａ２から一斉送信される長距離波４２０を第二の長距離波７２０とする。
【００６２】
図７で示されるように、第二の長距離波７１０（および７２０等）の合計は、その全領域内に通信装置Ｕ０および第一の通信装置Ａｎと異なる通信装置３００をｎ個（ｎを任意の自然数とする）包含する。それらを順に、第二の通信装置Ｂｎとする。すなわち、第一の通信装置Ａｎから一斉送信された第二の長距離波７１０（および７２０等）は、例えば、その領域内に通信装置Ｕ０および第一の通信装置Ａｎを除いて第二の通信装置Ｂ１、第二の通信装置Ｂ２、第二の通信装置Ｂ３、第二の通信装置Ｂ４、第二の通信装置Ｂ５の５個の通信装置３００を包含する。
【００６３】
同様にして、図７に示されるように、第二の通信装置Ｂｎは第二の通信装置Ｂｎを中心とする所定半径の領域に対して長距離波４２０を一斉送信する。例えば、第二の通信装置Ｂｎから一斉送信される長距離波４２０を第三の長距離波７３０とする。
【００６４】
なお、長距離波４２０は識別番号を有する。識別番号は、長距離波４２０を一斉送信した通信装置３００の通信装置ＩＤと、長距離波４２０の送信日時を識別させるための番号としてすべての長距離波４２０に記録される。
【００６５】
このようにして、通信装置３００は、他の通信装置３００から一斉送信された長距離波４２０を受信した際に、長距離波４２０が有する識別番号に基づいて、長距離波４２０を一斉送信した通信装置３００およびその通信装置ＩＤを特定できる。
＜特定装置情報およびリンク状態結果＞
図８は、本発明の一実施の形態における特定装置情報８００およびリンク状態結果８１０の概要を示す図である。
【００６６】
図８に示されるように、通信装置３００は、特定装置情報８００を有する。なお、通信装置３００が特定装置情報８００を取得および記憶する方法の詳細は後述する。
【００６７】
特定装置情報８００は、通信装置Ｕ０と、第１グループから第ＮグループまでのＮ個のグループに分類された通信装置Ａ１乃至Ｎｎについての情報を有する。また、特定装置情報８００は、例えば、第１グループに特定装置Ａ１乃至Ａｎがｎ個含まれており、第２グループに特定装置Ｂ１乃至Ｂｎがｎ個含まれており、第Ｎグループに特定装置Ｎ１乃至Ｎｎがｎ個含まれているという、グループの数の情報、および各グループを構成する通信装置３００の情報を有する。
【００６８】
図８に示されるように、通信装置３００は、ユーザ端末１００を介して管理サーバ１２０に特定装置情報８００を送信する。その後、管理サーバ１２０は特定装置情報８００からリンク状態結果８１０を生成し記憶する。なお、その方法について詳細は後述する。
【００６９】
また、リンク状態結果８１０は、図８で示されるように、通信装置Ｕ０と、通信装置Ａ１乃至Ｎｎについての各装置のリンク状態の結果を有する。例えば、リンク状態結果８１０は、通信装置Ａ１のリンク状態が「Ｏｎ」であり、通信装置Ａ２のリンク状態が「Ｏｆｆ」であり、通信装置Ａ３のリンク状態は「不明」というような情報を各装置について有する。
＜リンク状態解析処理＞
図９、図１０は、本発明の一実施の形態におけるリンク状態解析処理の概要を示す図である。
【００７０】
まず、Ｓ９０１にて、通信装置Ｕ０は、第一の長距離波（ＳＵ０とする。以下同じ。）を一斉送信する。次に、Ｓ９０２にて、通信装置Ａｎは、通信装置Ｕ０から所定半径内であるか否かを判定する。通信装置Ａｎが通信装置Ｕ０から所定半径内でない場合、長距離波ＳＵ０は通信装置Ａｎに到達しないか、または通信装置Ａｎと接続できないため本工程は終了する。
【００７１】
通信装置Ａｎが通信装置Ｕ０から所定半径内である場合、Ｓ９０３にて、通信装置Ａｎは、長距離波ＳＵ０を受信する。その後、Ｓ９０４にて、通信装置Ａｎは、第二の長距離波（ＳＡｎとする。以下同じ。）を一斉送信する。
【００７２】
通信装置Ｕ０は、Ｓ９０５にて、長距離波ＳＡｎを受信する。その後、Ｓ９０６にて、通信装置Ｕ０は、受信した長距離波ＳＡｎが有する識別番号に基づいて、通信装置Ａｎ（Ａ１、Ａ２、等）を特定する。
【００７３】
次に、Ｓ９０７にて、通信装置Ｕ０は、特定した通信装置Ａｎ（Ａ１、Ａ２、等）の全てを第１グループとして一時的に記憶する。
【００７４】
また、通信装置Ｂｎは、Ｓ９０８にて、通信装置Ｕ０から所定半径外で且つ通信装置Ａｎから所定半径内であるか否かを判定する。通信装置Ｂｎが通信装置Ａｎから所定半径内でない場合、長距離波ＳＡｎは通信装置Ｂｎに到達しないか、または通信装置Ｂｎと接続できないため本工程は終了する。
【００７５】
通信装置Ｂｎが通信装置Ｕ０から所定半径外で且つ通信装置Ａｎから所定半径内である場合、Ｓ９０９にて、通信装置Ｂｎは、長距離波ＳＡｎを受信する。その後、通信装置Ｂｎは、第三の長距離波（ＳＢｎとする。以下同じ。）を一斉送信する。
【００７６】
次に、通信装置Ａｎは、Ｓ９１０にて、長距離波ＳＢｎを受信して、その長距離波ＳＢｎの受信が長距離波ＳＡｎの一斉送信から数秒以内である場合に、第一の反射波（ＲＢｎとする。以下同じ。）を一斉送信する。なお、数秒とは、例えば３〜１０秒とできるが、特に限定されない。
【００７７】
通信装置Ｕ０は、Ｓ９１１にて、反射波ＲＢｎを受信する。その後、Ｓ９１２にて、通信装置Ｕ０は、受信した反射波ＲＢｎが有する識別番号に基づいて、通信装置Ｂｎ（Ｂ１、Ｂ２、等）を特定する。
【００７８】
次に、Ｓ９１２にて、通信装置Ｕ０は、特定した通信装置Ｂｎ（Ｂ１、Ｂ２、等）の全てを第２グループとして一時的に記憶する。
【００７９】
通信装置Ｂｎは、Ｓ９１３にて、長距離波ＳＣｎ（通信装置Ｃｎについて［００７３］、［００７４］と同様の方法により通信装置Ｃｎから送信された第四の長距離波）を受信して、その長距離波ＳＣｎの受信が長距離波ＳＢｎの一斉送信から数秒以内である場合に、第二の反射波（ＲＣｎとする。以下同じ。）を一斉送信する。
【００８０】
次に、通信装置Ａｎは、Ｓ９１４にて、反射波ＲＣｎを受信して、その反射波ＲＣｎの受信が長距離波ＳＡｎの一斉送信から数秒以内である場合に、反射波ＲＣｎを一斉送信する。
【００８１】
通信装置Ｕ０は、Ｓ９１５にて、反射波ＲＣｎを受信する。その後、Ｓ１００１にて、通信装置Ｕ０は、受信した反射波ＲＣｎが有する識別番号に基づいて、通信装置Ｃｎ（Ｃ１、Ｃ２、等）を特定し、特定した通信装置Ｃｎ（Ｃ１、Ｃ２、等）の全てを第３グループとして一時的に記憶する。
【００８２】
同様の手段を繰り返し、通信装置Ａｎは、Ｓ１００２にて、反射波ＲＮｎを受信して、その反射波ＲＮｎの受信が長距離波ＳＡｎの一斉送信から数秒以内である場合に、反射波ＲＮｎを一斉送信する。
【００８３】
通信装置Ｕ０は、Ｓ１００３にて、反射波ＲＮｎを受信する。その後、Ｓ１００４にて、通信装置Ｕ０は、受信した反射波ＲＮｎが有する識別番号に基づいて、通信装置Ｎｎ（Ｎ１、Ｎ２、等）を特定し、特定した通信装置Ｎｎ（Ｎ１、Ｎ２、等）の全てを第Ｎグループとして一時的に記憶する。
【００８４】
次に、Ｓ１００５にて、通信装置Ｕ０は、Ｓ１００４で記憶した第Ｎグループまでの全ての特定した通信装置についての情報を特定装置情報８００として、通信装置Ｕ０とリンク接続しているユーザ端末１００を介して管理サーバ１２０に送信する。
【００８５】
次に、Ｓ１００６にて、管理サーバ１２０は、受信した特定装置情報８００を特定装置情報記憶部１３２に記憶する。
【００８６】
次に、Ｓ１００７にて、管理サーバ１２０は、Ｓ１００６で記憶した特定装置情報８００から各装置の通信装置ＩＤを抽出し、通信装置情報記憶部１３１に記憶されている全装置の通信装置ＩＤと照合する。
【００８７】
次に、Ｓ１００８にて、管理サーバ１２０は、Ｓ１００７で照合した特定装置（特定装置情報８００に含まれている通信装置３００を示す）のうち通信装置ＩＤが判明した特定装置について通信装置ＩＤに紐付いているユーザＩＤに対応したユーザ情報２００を、ユーザ情報記憶部１３１から抽出して、各装置の「リンク状態」を取得する。
【００８８】
次に、Ｓ１００９にて、管理サーバ１２０は、Ｓ１００８で取得した各装置の「リンク状態」の結果をリンク状態結果８１０として生成し、リンク状態結果記憶部１３３に記憶する。例えば、リンク状態結果８１０は、「通信装置Ａ１のリンク状態はＯｎ、通信装置Ａ２のリンク状態はＯｆｆ、通信装置Ａ３のリンク状態は不明、通信装置Ｂ１のリンク状態はＯｆｆ」等というような情報として生成および記憶される。
【００８９】
このようにしてリンク状態結果８１０を生成することにより、管理サーバ１２０は、ユーザの周辺に存在する他の通信装置３００のリンク状態をユーザに把握させることができる。また、ユーザは、即時マッチング可能な他のユーザを容易に選択できる。
＜マッチング画面＞
図１１は、本発明の一実施の形態におけるマッチング画面αの概要を示す図である。
【００９０】
図１１に示されるように、マッチング画面１１００は、エリア表示領域１１１０と、ユーザ表示アイコン１１２０と、特定装置表示アイコン１１３０と、リンク状態結果表示領域１１４０と、進行タブ１１５０とを含む。マッチング画面１１００は、ユーザ端末１００に表示される。
【００９１】
エリア表示領域１１１０は、ユーザ端末１００の位置を中心付近に表示させ、且つ、ユーザ端末１００から所定の距離までの周辺地図を表示させる。なお、地図情報等は公知手段により取得されるため表示手段の詳細は省略する。また、エリア表示領域１１１０の表示のさせ方は特に限定されない。
【００９２】
ユーザ表示アイコン１１２０は、ユーザ端末１００の現在位置を表示させる。特定装置表示アイコン１１３０は、特定装置の現在位置を表示させる。リンク状態結果表示領域１１４０は、リンク状態結果８１０のうち、エリア表示領域１１１０内に含まれる特定装置についてのリンク状態結果８１０を表示させる。
【００９３】
進行タブ１１５０は、ユーザから押下されることで、マッチング画面１１００からマッチング画面１２００へと画面を切り替える入力を受け付けるためのタブを示す。
【００９４】
図１２は、本発明の一実施の形態におけるマッチング画面βの概要を示す図である。
【００９５】
図１２に示されるように、マッチング画面１２００は、エリア表示領域１１１０と、ユーザ表示アイコン１１２０と、特定装置表示アイコン１１３０と、マッチング相手選択アイコン１２１０と、マッチング相手情報表示領域１２２０と、決定タブ１２３０とを含む。マッチング画面１２００は、ユーザ端末１００に表示される。
【００９６】
マッチング相手選択アイコン１２１０は、ユーザが希望するマッチング相手の端末についての現在位置を表示させる。マッチング相手情報表示領域１２２０は、ユーザが希望するマッチング相手の端末についてのユーザ情報２００および対応する通信装置情報２１０を表示させる。
【００９７】
例えば、マッチング相手情報表示領域１２２０は、ユーザが希望するマッチング相手の端末についてのユーザ情報２００に対応する通信装置情報２１０から検知データを抽出して、当該相手の加速度状態や、周辺の温度（気温）、湿度、風向等の情報を表示させる。このようにして、ユーザは、ユーザが希望するマッチング相手の加速度状態や、周辺の温度（気温）、湿度、風向等の状況を把握できる。
【００９８】
決定タブ１２３０は、ユーザから押下されることで、ユーザ端末１００がユーザにより決定されたマッチング相手についての選択結果を管理サーバ１２０に送信するためのタブを示す。
＜マッチング画面生成処理およびマッチング画面提供処理＞
図１３は、本発明の一実施の形態におけるマッチング画面生成処理およびマッチング画面提供処理の概要を示す図である。
【００９９】
図１３で示されるように、まず、Ｓ１３０１にて、管理サーバ１２０のマッチング画面生成部１５０は、マッチング画面１１００を提供したいユーザＩＤに対応するユーザ情報２００をユーザ情報記憶部１３０から抽出する。
【０１００】
次に、Ｓ１３０２にて、マッチング画面生成部１５０は、Ｓ１３０１で抽出したユーザ情報２００に含まれるユーザＩＤに対応する通信装置情報２１０を通信装置情報記憶部１３１から抽出する。
【０１０１】
次に、Ｓ１３０３にて、マッチング画面生成部１５０は、Ｓ１３０２で抽出した通信装置情報２１０に含まれる通信装置ＩＤに対応するリンク状態結果８１０をリンク状態結果記憶部１３３から抽出する。
【０１０２】
次に、Ｓ１３０４にて、マッチング画面生成部１５０は、Ｓ１３０１で抽出したユーザ情報２００と、Ｓ１３０２で抽出した通信装置情報２１０と、Ｓ１３０３で抽出したリンク状態結果８１０とに基づいて、マッチング画面１１００（α）を生成する。
【０１０３】
次に、Ｓ１３０５にて、管理サーバ１２０のマッチング画面提供部１６０は、Ｓ１３０４で生成したマッチング画面１１００をユーザ端末１００に送信する。
【０１０４】
次に、Ｓ１３０６にて、ユーザ端末１００は、Ｓ１３０５で管理サーバ１２０から送信されたマッチング画面１１００を受信する。その後、受信したマッチング画面１１００をディスプレイに表示させる。
【０１０５】
次に、Ｓ１３０７にて、ユーザ端末１００は、Ｓ１３０６で表示させたマッチング画面１１００に含まれる進行タブ１１５０をユーザにタップまたはクリックさせることにより、押下の入力を受け付ける。
【０１０６】
次に、Ｓ１３０８にて、ユーザ端末１００は、Ｓ１３０７で受け付けた進行タブ１１５０の押下入力を管理サーバ１２０に送信する。
【０１０７】
次に、Ｓ１３０９にて、管理サーバ１２０は、Ｓ１３０８で送信された進行タブ１１５０の押下入力を受信する。
【０１０８】
次に、Ｓ１３１０にて、管理サーバ１２０は、受信した押下入力に紐づくマッチング画面１１００に対応したユーザ情報２００等に基づいて、マッチング画面１２００（β）を生成する。
＜マッチング画面記憶処理＞
図１４は、本発明の一実施の形態におけるマッチング画面記憶処理の概要を示す図である。
【０１０９】
次に、Ｓ１４０１にて、管理サーバ１２０のマッチング画面提供部１６０は、Ｓ１３１０で生成したマッチング画面１２００をユーザ端末１００に送信する。
【０１１０】
次に、Ｓ１４０２にて、ユーザ端末１００は、Ｓ１４０１で管理サーバ１２０から送信されたマッチング画面１２００を受信する。その後、受信したマッチング画面１２００をディスプレイに表示させる。
【０１１１】
次に、Ｓ１４０３にて、ユーザ端末１００は、Ｓ１４０２で表示させたマッチング画面１２００に含まれる特定装置表示アイコン１１３０の中から、マッチング相手選択アイコン１２１０を重ねることで、所望の相手を選択する。
【０１１２】
次に、Ｓ１４０４にて、ユーザ端末１００は、決定タブ１２３０をユーザにタップまたはクリックさせることにより、Ｓ１４０３でユーザに選択させた所望の相手についての選択結果の入力を受け付ける。
【０１１３】
次に、Ｓ１４０５にて、ユーザ端末１００は、Ｓ１４０４で受け付けた選択結果を管理サーバ１２０に送信する。
【０１１４】
次に、Ｓ１４０６にて、管理サーバ１２０は、Ｓ１４０５で送信された選択結果を受信する。
【０１１５】
次に、Ｓ１４０７にて、管理サーバ１２０は、Ｓ１４０６で受信した選択結果に基づいて、選択されたユーザについてのユーザ情報２００と、通信装置情報２１０と、特定装置情報８００を抽出する。
【０１１６】
次に、Ｓ１４０８にて、管理サーバ１２０は、Ｓ１４０７で抽出した情報をマッチング結果としてマッチング結果記憶部１３４に記憶する。
＜メッセージ画面＞
図１５は、本発明の一実施の形態におけるメッセージ画面１５００の概要を示す図である。
【０１１７】
図１５に示されるように、メッセージ画面１５００は、ユーザ表示領域１５１０と、スタンプ表示領域１５２０と、メッセージ表示領域１５３０とを含む。メッセージ画面１５００は、ユーザ端末１００に表示される。
【０１１８】
ユーザ表示領域１５１０は、メッセージ相手とユーザ自身についてのユーザ情報２００等を表示させる。なお、ユーザ表示領域１５１０の表示のさせ方は特に限定されない。
【０１１９】
スタンプ表示領域１５２０は、メッセージに使用する画像データやイラスト等を表示させる。なお、スタンプ表示領域１５２０の表示のさせ方は特に限定されない。
【０１２０】
メッセージ表示領域１５３０は、ユーザから送信したメッセージと、相手から送信されたメッセージを表示させる。なお、メッセージ表示領域１５３０の表示のさせ方は特に限定されない。
＜メッセージ画面提供経路＞
図１６は、本発明の一実施の形態におけるメッセージ画面提供経路１６００の概要を示す図である。
【０１２１】
図１６（ａ）で示されるように、管理サーバ１２０は、特定装置情報８００を抽出し、各装置の通信装置ＩＤに対応する通信装置情報２１０に紐付いている位置データを取得し、第１グループからメッセージ送信相手の属する第Ｎグループまでの中継装置を自動選択し、最短経路を算出することにより、メッセージ画面提供経路１６００を生成する。
【０１２２】
図１６（ｂ）で示されるように、例えば、通信装置Ｕ０から通信装置Ｎ１までのメッセージ画面提供経路１６００は、第１グループに属する通信装置Ａ１と、第２グループに属する通信装置Ｂ１と、第３グループに属する通信装置Ｃ１等を中継装置１６１０とし、メッセージ送信相手である通信装置Ｎ１までの最短経路を算出することにより、メッセージ画面提供経路１６００を生成する。
＜メッセージ画面生成処理およびメッセージ画面提供処理＞
図１７は、本発明の一実施の形態におけるメッセージ画面生成処理およびメッセージ画面提供処理の概要を示す図である。
【０１２３】
図１７で示されるように、まず、Ｓ１７０１にて、管理サーバ１２０のメッセージ画面生成部１７０は、決定したマッチング相手に該当するユーザ情報２００等を含むマッチング結果をマッチング結果記憶部１３４から抽出する。
【０１２４】
次に、Ｓ１７０２にて、メッセージ画面生成部１７０は、Ｓ１７０１で抽出したマッチング結果が含むユーザ情報２００等に基づいてメッセージ画面１５００を生成する。
【０１２５】
次に、Ｓ１７０３にて、メッセージ画面生成部１７０は、Ｓ１７０１で抽出したマッチング結果が含む特定装置情報８００等に基づいてメッセージ画面提供経路１６００を生成する。
【０１２６】
次に、Ｓ１７０４にて、管理サーバ１２０のメッセージ画面提供部１８０は、Ｓ１７０３で生成したメッセージ画面１５００およびメッセージ画面提供経路１６００を、ユーザ端末１００に送信する。
【０１２７】
次に、Ｓ１７０５にて、ユーザ端末１００は、Ｓ１７０４で管理サーバ１２０から送信されたメッセージ画面１５００およびメッセージ画面提供経路１６００を受信する。次に、受信したメッセージ画面１５００をディスプレイ上で表示させる。
【０１２８】
次に、Ｓ１７０６にて、ユーザ端末１００は、Ｓ１７０５で表示させたメッセージ画面１５００にユーザから文字やスタンプの入力を受け付け、メッセージ画面１５００を更新する。
【０１２９】
次に、Ｓ１７０７にて、ユーザ端末１００は、Ｓ１７０６で更新したメッセージ画面１５００を、メッセージ画面提供経路１６００に基づいて、ユーザ端末１００とリンク接続されている通信装置Ｕ０から一斉送信させる。
【０１３０】
その後、Ｓ１７０８にて、相手方のユーザ端末（１０１とする）とリンク接続されている通信装置Ｎ１は、Ｓ１７０７で通信装置Ｕ０から一斉送信され、且つ、中継装置１６１０を介し送信されたメッセージ画面１５００を受信して、ユーザ端末１０１のディスプレイに表示させる。
＜メッセージ画面更新処理およびメッセージ画面提供処理＞
図１８は、本発明の一実施の形態におけるメッセージ画面更新処理およびメッセージ画面提供処理の概要を示す図である。
【０１３１】
図１８で示されるように、まず、Ｓ１７０８にて、相手方のユーザ端末１０１がメッセージ画面１５００を受信して、ユーザ端末１０１のディスプレイに表示させる。
【０１３２】
次に、Ｓ１８０１にて、ユーザ端末１０１は、Ｓ１７０８で表示させたメッセージ画面１５００にユーザから文字やスタンプの入力を受け付け、メッセージ画面１５００を更新する。その後、ユーザ端末１０１は、更新したメッセージ画面１５００を管理サーバ１２０に送信する。
【０１３３】
Ｓ１８０２にて、管理サーバ１２０のメッセージ画面生成部１７０は、メッセージ相手に該当するユーザ情報２００等を含むマッチング結果をマッチング結果記憶部１３４から抽出する。
【０１３４】
次に、Ｓ１８０３にて、メッセージ画面生成部１７０は、Ｓ１８０２で抽出したマッチング結果が含むユーザ情報２００等に基づいてメッセージ画面１５００を生成する。
【０１３５】
次に、Ｓ１８０４にて、メッセージ画面生成部１７０は、Ｓ１８０２で抽出したマッチング結果が含む特定装置情報８００等に基づいてメッセージ画面提供経路１６００を生成する。
【０１３６】
次に、Ｓ１８０５にて、管理サーバ１２０のメッセージ画面提供部１８０は、Ｓ１８０４で生成したメッセージ画面１５００およびメッセージ画面提供経路１６００を、ユーザ端末１０１に送信する。
【０１３７】
次に、Ｓ１８０６にて、ユーザ端末１０１は、Ｓ１８０１で更新したメッセージ画面１５００を、Ｓ１８０５で送信されたメッセージ画面提供経路１６００に基づいて、ユーザ端末１０１とリンク接続されている通信装置Ｎ１（ユーザ端末１０１から見た場合、すなわち「ユーザ端末１０１をユーザ端末１００と見なす場合」は、通信装置Ｕ０。以下同様）から一斉送信させる。
【０１３８】
その後、Ｓ１８０７にて、相手方のユーザ端末１００とリンク接続されている通信装置Ｕ０（ユーザ端末１０１から見た場合、すなわち「ユーザ端末１０１をユーザ端末１００と見なす場合」は、通信装置Ｎ１）は、Ｓ１８０６で通信装置Ｎ１から一斉送信され、且つ、中継装置１６１０を介し送信されたメッセージ画面１５００を受信して、ユーザ端末１００のディスプレイに表示させる。
【０１３９】
その後、［０１２２］から［０１３７］までの処理を繰り返すことにより、ユーザ端末１００に該当するユーザは、所望のユーザ（ユーザ端末１０１に該当するユーザ）とメッセージの送受信を行うことができる。
＜本実施の形態の効果＞
【０１４０】
以上説明した本発明の実施の形態によれば、通信装置が独自に発生した長距離波の送受信を繰り返すことで、所定の範囲内にいる遠隔地の相手の状態を確認し、メッセージの送受信を行うことが可能となる。
【０１４１】
すなわち、所定半径以内に存在する他の通信装置３００を中継装置として長距離波および反射波の送受信を連続的に行って、特定装置情報８００およびリンク状態結果８１０を生成することにより、管理サーバ１２０は、ユーザに周辺に存在する他の通信装置３００のリンク状態を把握させることができ、即時マッチング可能な他のユーザを容易に選択させることができる。
【０１４２】
また、ユーザは、自然災害時に充電ができない場合や、電話会社が管理する電波を利用できない場合でも、消費電力の少ない通信装置３００によって、電話会社が有する電波を利用せずに長距離通信を行うことができる。
【０１４３】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、ユーザ端末は、スマートフォン以外にも、ノート型ＰＣや、タブレット端末等の様々な形態のユーザ端末を全て含むものである。
【０１４４】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１４５】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０１４６】
１００…ユーザ端末
１２０…管理サーバ
１３０…ユーザ情報記憶部
１３１…通信装置情報記憶部
１３２…特定装置情報記憶部
１３３…リンク状態結果記憶部
１３４…マッチング結果記憶部
１４０…リンク状態解析部
１５０…マッチング画面生成部
１６０…マッチング画面提供部
１７０…メッセージ画面生成部
１８０…メッセージ画面提供部
３００…通信装置
１１００…マッチング画面α
１２００…マッチング画面β
１５００…メッセージ画面
【要約】      （修正有）【課題】通信装置が独自に発生した長距離波の送受信を繰り返し、所定の範囲内にいる遠隔地の相手の状態を確認可能な技術を提供する。【解決手段】ユーザ端末と接続されている通信装置は、通信装置から所定半径内に位置する第一の通信装置から一斉送信された第一の長距離波を受信した後に一斉送信する第二の長距離波を受信し、受信した第二の長距離波の識別信号に基づいて第一の通信装置を特定し、特定した第一の通信装置を第１グループとして記憶する。第一の通信装置は、通信装置から所定半径外で、第一の通信装置から所定半径内に位置する第二の通信装置が、第一の通信装置から一斉送信された第二の長距離波を受信した後に一斉送信する第三の長距離波を受信し、第二の長距離波の一斉送信から第三の長距離波の受信までが数秒以内の場合に第一の反射波を一斉送信する。通信装置は、同様の手段を繰り返して特定した第Ｎの通信装置を第Ｎグループとして記憶する。【選択図】図１【図１】
0006778969.tif 000002
【図２】
0006778969.tif 000003
【図３】
0006778969.tif 000004
【図４】
0006778969.tif 000005
【図５】
0006778969.tif 000006
【図６】
0006778969.tif 000007
【図７】
0006778969.tif 000008
【図８】
0006778969.tif 000009
【図９】
0006778969.tif 000010
【図１０】
0006778969.tif 000011
【図１１】
0006778969.tif 000012
【図１２】
0006778969.tif 000013
【図１３】
0006778969.tif 000014
【図１４】
0006778969.tif 000015
【図１５】
0006778969.tif 000016
【図１６】
0006778969.tif 000017
【図１７】
0006778969.tif 000018
【図１８】
0006778969.tif 000019